(57)【要約】【課題】電源投入時などに表示される初期画面として、所望する補助機能を実行するのに必要な画面を表示できるようにする。【解決手段】電源投入時等の初期時に動作する機能を特定するための設定値を最優先メモリに設定する。初期画面の表示タイミングになる毎に最優先メモリに設定された設定値により特定される機能を認識する。認識した機能の初期画面を表示部に表示させる。初期時に動作する機能として、メイン機能以外の補助機能を特定する設定値を設定可能とする。【選択図】      図４
2007267254.tif 000002
【特許請求の範囲】
【請求項１】
メイン機能として複数の機能を有する複合型画像形成装置において、
電源投入時等の初期時に動作する機能を設定する初期機能設定手段と、
初期画面の表示タイミングになる毎に前記初期機能設定手段により設定された機能を認識する初期機能認識手段と、
この初期機能認識手段により認識した機能の初期画面を表示部に表示させる初期表示制御手段とを具備し、
前記初期時に動作する機能として、前記メイン機能以外の補助機能を設定可能としたことを特徴とする複合型画像形成装置。
【請求項２】
前記初期時に動作する機能として設定される補助機能は、メイン機能に関するユーザ設定情報の保存及び呼出しを行うためのテンプレート機能であることを特徴とする請求項１記載の複合型画像形成装置。
【請求項３】
前記初期時に動作する機能として設定される補助機能は、メイン機能に対するジョブ状況を確認するためのジョブ状況確認機能であることを特徴とする請求項１記載の複合型画像形成装置。
【請求項４】
前記初期時に動作する機能として設定される補助機能は、プリント動作に暗証番号の入力が要求されるプライベート印刷機能であることを特徴とする請求項１記載の複合型画像形成装置。
【請求項５】
前記初期機能設定手段は、メイン機能に関するユーザ設定情報の保存及び呼出しを行うためのテンプレート機能、メイン機能に対するジョブ状況を確認するためのジョブ状況確認機能及びプリント動作に暗証番号の入力が要求されるプライベート印刷機能のうちいずれかの機能を選択的に設定することを特徴とする請求項１記載の複合型画像形成装置。
【請求項６】
メイン機能として複数の機能を有する複合型画像形成装置の初期表示設定方法であって、
電源投入時等の初期時に動作する機能として、前記メイン機能以外の補助機能を設定可能とし、
初期画面の表示タイミングになる毎に設定された機能を認識し、認識された機能の初期画面を表示部に表示させるようにしたことを特徴とする複合型画像形成装置の初期表示設定方法。
【請求項７】
前記初期時に動作する機能として設定される補助機能は、メイン機能に関するユーザ設定情報の保存及び呼出しを行うためのテンプレート機能であることを特徴とする請求項６記載の複合型画像形成装置の初期表示設定方法。
【請求項８】
前記初期時に動作する機能として設定される補助機能は、メイン機能に対するジョブ状況を確認するためのジョブ状況確認機能であることを特徴とする請求項６記載の複合型画像形成装置の初期表示設定方法。
【請求項９】
前記初期時に動作する機能として設定される補助機能は、プリント動作に暗証番号の入力が要求されるプライベート印刷機能であることを特徴とする請求項６記載の複合型画像形成装置の初期表示設定方法。
【請求項１０】
前記初期時に動作する機能として設定される補助機能は、メイン機能に関するユーザ設定情報の保存及び呼出しを行うためのテンプレート機能、メイン機能に対するジョブ状況を確認するためのジョブ状況確認機能及びプリント動作に暗証番号の入力が要求されるプライベート印刷機能のなかから任意に選択された機能が設定されることを特徴とする請求項６記載の複合型画像形成装置の初期表示設定方法。
【発明の詳細な説明】
【技術分野】
【０００１】
本発明は、複数の機能を有する複合型画像形成装置及びこの装置の初期表示設定方法に関する。特に、電源投入時や節電モード解除時等に表示部に表示される初期画面の設定に関する。
【背景技術】
【０００２】
近年、コピー機能，スキャン機能，ファクス機能，プリント機能等の複数の機能を有する複合型画像形成装置、いわゆる複合機が知られている。このような複合機には、一般に、タッチパネル付ディスプレイを備えたコントロールパネルが設けられている。ディスプレイには、選択された機能の操作画面等が表示される。例えばコピー機能が選択された場合には、印刷用紙，複写倍率，複写濃度等を選択するための操作画面が表示される。
【０００３】
また複合機は、上述したメインの機能とは別に、このメイン機能をサポートするための補助機能を有している。補助機能としては、例えばテンプレート機能やジョブ状況確認機能やプライベート印刷機能等がある。
【０００４】
テンプレート機能が選択されると、コピー，スキャン，ファクスの機能毎にユーザが頻繁に使用する各種設定情報を設定したテンプレートを作成し保存することができる。また、保存されたテンプレートを呼出してそのテンプレート内の各種設定情報を操作情報として処理することができる。ジョブ状況確認機能が選択されると、実行中または実行待ちのジョブの一覧が表示される。また、実行済ジョブのログを確認することも可能となる。プライベート印刷機能が選択されると、プリントジョブに設定されたパスワードの入力が可能となる。プライベート印刷機能では、正当なパスワードが入力されないと、該当するプリントジョブは実行されない。
【０００５】
ところで、電源の投入時や節電モードの解除時には、ディスプレイに初期画面が表示される。また、予め設定されたリセット時間の間、無操作状態が続いたときにもディスプレイの画面が初期画面に復帰する。初期画面は、通常、コピー機能，スキャン機能，ファクス機能，プリント機能等の各種メイン機能のメニュー画面である。このような複合機において、従来、複数の機能毎に上記リセット時間を任意に設定可能としたものは既にあった（例えば、特許文献１参照）。
【特許文献１】特開２０００-３２４２８３号公報
【発明の開示】
【発明が解決しようとする課題】
【０００６】
従来の複合型画像形成装置においては、一般に、各メイン機能のメニュー画面が初期画面として設定されていた。その一方で、特定の補助機能を頻繁に使用するユーザがいる。このようなユーザは、ディスプレイに初期画面が表示されていた場合、何らかの操作を行って、所望する補助機能を実行するのに必要な画面を表示させる必要がある。
【０００７】
前述したように、初期画面は電源投入時だけでなく、節電モードが解除されたときや無操作のままリセット時間が経過したときにも表示される。このため、初期画面から所望する補助機能を実行するのに必要な画面を表示させるまでの操作が煩わしいと感じるユーザがおり、その解決が望まれていた。
【０００８】
本発明はこのような事情に基づいてなされたもので、その目的とするところは、初期画面として所望する補助機能を実行するのに必要な画面を表示することができる複合型画像形成装置及びこの装置の初期表示設定方法を提供しようとするものである。
【課題を解決するための手段】
【０００９】
本発明は、メイン機能としてコピー機能，スキャン機能，ファクス機能，プリント機能等の複数の機能を有する複合型画像形成装置において、電源投入時等の初期時に動作する機能を設定する初期機能設定手段と、初期画面の表示タイミングになる毎に初期機能設定手段により設定された機能を認識する初期機能認識手段と、この初期機能認識手段により認識した機能の初期画面を表示部に表示させる初期表示制御手段とを備え、初期時に動作する機能として、メイン機能以外の補助機能を設定可能としたものである。
【発明の効果】
【００１０】
かかる手段を講じた本発明によれば、初期画面として所望する補助機能を実行するのに必要な画面を表示することができる。したがって、補助機能に関する画面を表示させるまでの煩わしさを解消できる。
【発明を実施するための最良の形態】
【００１１】
以下、本発明を実施するための最良の形態について、図面を用いて説明する。  
なお、この実施の形態は、複合型画像処理装置の一態様である複合機に、本発明を適用した場合である。
【００１２】
図１は上記複合機の外観図である。コピー機能、スキャン機能、プリント機能、ファクス機能等を有する複合型複写機、いわゆる複合機は、本体１の下部に複数の給紙カセット２が装着されている。各カセット２には、記録媒体である各種サイズの用紙が収容される。本体１の上部には排紙トレイ３が形成されている。給紙カセット２から給紙され、コピー機能またはプリント機能によって画像が形成された用紙が上記排紙トレイ３に排出される。
【００１３】
給紙カセット２のさらに上部に原稿台４が設けられている。原稿台４の上部には、自動原稿送り装置（ＡＤＦ）５が開閉自在に設けられている。原稿台４に置かれた原稿の画像が、スキャン機能またはコピー機能によって読取られる。
【００１４】
原稿台４の正面側には、コントロールパネル６が設けられている。コントロールパネル６は、図２に示すように、タッチパネル付ディスプレイ７と操作パネル８とで構成されている。操作パネル８には、テンキー８１が設けられている。また、クリアボタン８２，スタートボタン８３，ストップボタン８４，リセットボタン８５，ファクスボタン８６，コピーボタン８７，スキャンボタン８８，ファイリングボックスボタン８９，節電ボタン９０，テンプレートボタン９１，状況確認ボタン９２，設定／登録ボタン９３等の各種ファンクションボタンが設けられている。
【００１５】
ファクスボタン８６は、ファクシミリ機能を使用するときに操作される。コピーボタン８７は、コピー機能を使用するときに操作される。スキャンボタン８８は、スキャン機能を使用するときに操作される。ファイリングボックスボタン８９は、保存した画像データを取り出すときに操作される。
【００１６】
スタートボタン８３は、コピー，スキャン，ファクスの動作を開始するときに操作される。ストップボタン８４は、画像データの読込み及びコピー動作を停止させるときに操作される。リセットボタン８５は、選択した機能を解除するときに操作される。
【００１７】
節電ボタン９０は、節電モードにするときに操作される。なお、節電モードのときに操作パネル８上のいずれかのボタンを操作すると、節電モードが解除される。テンプレートボタン９１は、テンプレートを作成するとき及びテンプレートを呼び出すときに操作される。状況確認ボタン９２は、ジョブの状況、すなわち実行中または実行待ちのジョブの一覧や、実行済ジョブのログ等を確認するときに操作される。設定／登録ボタン９３は、コピー機能，スキャン機能，ファクス機能等の各種機能の初期設定値を変更するときに操作される。
【００１８】
タッチパネル付ディスプレイ７は、コピー，スキャン，ファクス等の各種機能の設定操作に使用される。また、用紙切れ，紙詰まりなどのエラー表示を行う。
【００１９】
図３は上記複合機の要部構成を示すブロック図である。複合機には、画像処理部に相当するＣＰＵ１０が設けられている。そしてこのＣＰＵ１０に、ＲＯＭ１１，揮発性ＲＡＭ１２，不揮発性ＲＡＭ１３，ハードディスクドライブ１４，パネル制御セクション１５，スキャナ制御セクション１６，コピー制御セクション１７，プリンタ制御セクション１８，ネットワーク制御セクション１９及びファクシミリ制御セクション２０が接続されている。
【００２０】
ＲＯＭ１１には、本体１の動作に必要な各種の制御プログラムが記憶されている。揮発性ＲＡＭ１２には、ページメモリ等が形成されている。ページメモリは、プリント機能によって画像形成を行うための画像データを一時的に保存するための領域である。不揮発性ＲＡＭ１３には、各種の設定データが記憶されている。ハードディスクドライブ１４は、磁気ディスクであるハードディスクとそのコントローラとを内蔵したものである。
【００２１】
パネル制御セクション１５は、前記コントロールパネル６におけるタッチパネル付ディスプレイ７の画面表示を制御する。また、上記タッチパネル付ディスプレイ７及び操作パネル８からの操作信号を取り込む。
【００２２】
スキャナ制御セクション１６は、画像読取り部に相当するスキャナ２１を用いたスキャン機能を制御する。プリンタ制御セクション１８は、画像形成部に相当するプリンタ２２を用いたプリント機能を制御する。コピー制御セクション１７は、上記スキャナ２１とプリンタ２２とを用いた通常のコピー機能を制御する。
【００２３】
ネットワーク制御セクション１９は、ネットワークインターフェイス２３に接続されたローカルエリアネットワーク（ＬＡＮ）２４を介して、パソコン等の外部端末との間で行うデータ通信を制御する。ファクシミリ制御セクション２０は、回線インターフェイス２５に接続されたファクシミリ通信網２６を介して、ファクシミリ端末等の外部端末との間で行うファクシミリ通信を制御する。
【００２４】
かかる構成の複合機は、不揮発性ＲＡＭ１３に最優先メモリ３０が形成されている。最優先メモリ３０には、初期時に動作する機能を識別するための設定値がセットされる。初期時とは、電源の投入時や、節電モードからの復帰時や、リセット時間経過時等が該当する。リセット時間経過時とは、予め設定されたリセット時間の間、操作されない状態が継続したときをいう。リセット時間は、コピー機能，スキャナ機能，ファクス機能等の各機能で共通に設定されていてもよい。あるいは機能毎にリセット時間が設定されていてもよい。
【００２５】
図４はＣＰＵ１０が実行する最優先画面設定処理の主要な手順を示す流れ図である。この最優先画面設定処理が実行されることによって、前記最優先メモリ３０にユーザが所望する設定値が設定される。
【００２６】
ＣＰＵ１０は、設定／登録ボタン９３が操作されたことを検知すると、各種の初期設定メニュー画面をタッチパネル付ディスプレイ７に表示させる。この画面上の初期設定メニューのなかから、最優先画面設定処理が選択されると、ＣＰＵ１０は、図４の流れ図に示す処理を開始する。
【００２７】
先ず、ステップＳＴ１としてタッチパネル付ディスプレイ７にメイン機能リスト画面４０を表示させる。メイン機能リスト画面４０の一例を図５に示す。図示するように、メイン機能リスト画面４０には、当該複合機のメイン機能であるコピー機能，スキャン機能，ファクス機能及びプリント機能を選択するためのボタン４１，４２，４３，４４が表示されている。また、補助機能への変更を指示するボタン４５も表示されている。
【００２８】
ＣＰＵ１０は、ステップＳＴ２，ＳＴ３として画面上のいずれかのボタン４１〜４５が選択操作されるのを待機する。ここで、いずれかのメイン機能を示すボタン４１〜４４がタッチ操作された場合には、そのタッチ操作されたボタンに示されるメイン機能が選択されたものとみなす。そして、ステップＳＴ７としてこの選択されたメイン機能に対して予め設定されている固有の設定値を最優先メモリ３０にセットする。
【００２９】
これに対し、補助機能ボタン４５がタッチ操作された場合には、補助機能への変更が指令されたものとみなす。そして、ステップＳＴ４としてタッチパネル付ディスプレイ７に補助機能リスト画面５０を表示させる。補助機能リスト画面５０の一例を図６に示す。図示するように、補助機能リスト画面５０には、当該複合機の補助機能であるテンプレート機能，ジョブ状況確認機能及びプライベート印刷機能を選択するためのボタン５１，５２，５３が表示されている。また、メイン機能への変更を指示するボタン５４も表示されている。
【００３０】
ＣＰＵ１０は、ステップＳＴ５，ＳＴ６として画面上のいずれかのボタン５１〜５４が選択操作されるのを待機する。ここで、いずれかの補助機能を示すボタン５１〜５３がタッチ操作された場合には、そのタッチ操作されたボタンに示される補助機能が選択されたものとみなす。そして、ステップＳＴ７としてこの選択された補助機能に対して予め設定されている固有の設定値を最優先メモリ３０にセットする（初期機能設定手段）。
【００３１】
これに対し、メイン機能ボタン５４がタッチ操作された場合には、メイン機能への変更が指令されたものとみなす。そして、ステップＳＴ１としてタッチパネル付ディスプレイ７にメイン機能リスト画面４０を表示させる。
【００３２】
図７はＣＰＵ１０が実行するタッチパネル付ディスプレイ７に対する画面表示処理の主要な手順を示す流れ図である。電源がオンされると、ＣＰＵ１０は、ステップＳＴ１１として前記最優先メモリ３０に設定されている設定値を読み込む。次に、ステップＳＴ１２として上記設定値により特定される複合機の機能を認識する（初期機能認識手段）。次に、ステップＳＴ１３として認識した機能に該当する初期画面をタッチパネル付ディスプレイ７に表示させる（初期表示制御手段）。
【００３３】
その後、ステップＳＴ１４としてイベントが発生するのを待機する。イベントは、タッチパネル付ディスプレイ７のタッチ操作または操作パネル８に設けられた各種ボタンの操作によって発生する。また、ＣＰＵ１０は、ステップＳＴ１５として予め設定されたリセット時間が経過するのを監視する。そして、このリセット時間の間、イベントが入力されなかった場合には、ＣＰＵ１０は、ステップＳＴ１６として節電モードに入る。そして、タッチパネル付ディスプレイ７の画面を消去する。
【００３４】
その後、ステップＳＴ１７として節電モードからの復帰が指令されると、ＣＰＵ１０は、前記ＳＴ１１〜ＳＴ１３の処理を再度実行する。すなわち、最優先メモリ３０内の設定値に該当する機能の初期画面をタッチパネル付ディスプレイ７に表示させる。
【００３５】
一方、リセット時間が経過する前にイベントが入力された場合には、ＣＰＵ１０は、ステップＳＴ１８としてそのイベントが節電イベントか否かを判断する。節電イベントは、節電ボタン９０の操作によって発生する。入力されたイベントが節電イベントであった場合には、ＣＰＵ１０は、前記ＳＴ１６の処理を実行する。すなわち、タッチパネル付ディスプレイ７の画面を消去して、節電モードに入る。
【００３６】
節電イベント以外のイベントが発生した場合には、ＣＰＵ１０は、ステップＳＴ１９としてそのイベントに応じた画面をタッチパネル付ディスプレイ７に表示させる。その後、ステップＳＴ２０として次のイベントが発生するのを待機する。そして、次のイベントが発生したならば、ＣＰＵ１０は、ステップＳＴ１８の処理に戻る。すなわち、入力されたイベントが節電イベントか否かを判断する。そして、節電イベントの場合には、前記ＳＴ１６の処理を実行する。すなわち、タッチパネル付ディスプレイ７の画面を消去して、節電モードに入る。
【００３７】
節電イベント以外のイベントの場合には、ＣＰＵ１０は、前記ステップＳＴ２０の処理を実行する。すなわち、タッチパネル付ディスプレイ７の画面を、発生したイベントに応じた画面に変更する。以後、節電イベント以外のイベントが発生する毎に、ＣＰＵ１０は、タッチパネル付ディスプレイ７の画面をそのイベントに応じた画面に変更する。
【００３８】
また、ＣＰＵ１０は、ステップＳＴ２１として予め設定されたリセット時間が経過するのを監視している。そして、このリセット時間の間、次のイベントが入力されなかった場合には、前記ＳＴ１１〜ＳＴ１３の処理を実行する。すなわち、最優先メモリ３０内の設定値に該当する機能の初期画面をタッチパネル付ディスプレイ７に表示させる。
【００３９】
このように本実施の形態の複合機においては、電源がオンされたときと、節電モードから復帰したときと、リセット時間が経過する間、イベントが全く入力されなかったときは、初期画面の表示タイミングとなる。そして、最優先メモリ３０に設定されている設定値に応じた機能の初期画面がタッチパネル付ディスプレイ７に表示されるようになっている。
【００４０】
一方、最優先メモリ３０には、コピー機能，スキャン機能，ファクス機能及びプリンタ機能の各メイン機能をそれぞれ特定するための設定値を選択的に設定することができる。また、テンプレート機能，ジョブ監視機能及びプライベート印刷機能の各補助機能をそれぞれ特定するための設定値も選択的に設定することができる。
【００４１】
例えばユーザがテンプレート機能を特定するための設定値を最優先メモリ３０に設定した場合には、初期画面の表示タイミングになると、図８に示すようなテンプレート機能の初期画面１００がタッチパネル付ディスプレイ７に表示される。この初期画面１００には、テンプレートのグループ一覧が表示されている。
【００４２】
ユーザは、この初期画面１００から、所望するテンプレートを簡単に呼び出すことができる。すなわちユーザは、初期画面１００から目的のグループをタッチ操作により選択する。そうすると、図９に示すように、タッチパネル付ディスプレイ７の画面に、その選択されたグループに属するテンプレートの一覧が表示される。そこでユーザは、目的のテンプレートをタッチ操作により選択する。そうすると、このテンプレートの情報がハードディスク上のデータベースから読み出される。そして、このテンプレートの内容に基づいてジョブが実行される。
【００４３】
例えばユーザがジョブ監視機能を特定するための設定値を最優先メモリ３０に設定した場合には、初期画面の表示タイミングになると、図１０に示すようなジョブ監視機能の初期画面１０２がタッチパネル付ディスプレイ７に表示される。この初期画面１０２には、プリント機能に関するジョブのうち実行中または実行待ちのジョブの一覧が表示されている。ユーザは、この初期画面１０２から各ジョブの状態を即座に確認することができる。また、ジョブの取消や順番の変更等も直ちに行うことができる。
【００４４】
例えばユーザがプライベート印刷を特定するための設定値を最優先メモリ３０に設定した場合には、初期画面の表示タイミングになると、図１１に示すようなプライベート印刷機能の初期画面１０３がタッチパネル付ディスプレイ７に表示される。この初期画面１０３には、プライベート印刷が指定されたジョブの一覧が表示されている。ユーザは、この画面１０３から自身がプライベート印刷を指定したジョブを即座に選択することができる。そして、ジョブを選択した後、自身のパスワードを入力することによって、選択したジョブが直ちに実行される。
【００４５】
このように、ユーザは、最優先画面設定処理を実行して、所望する補助機能を特定するための設定値を最優先メモリ３０に設定する。こうすることにより、電源投入時などにディスプレイ７に表示される初期画面として、所望する補助機能を実行するのに必要な画面が表示される。したがって、ユーザは所望する補助機能を直ちに実行できるので、能率的である。また、所望する補助機能を選択するための操作を簡略化できるので、煩雑感がない。
【００４６】
なお、この発明は前記実施形態そのままに限定されるものではなく、実施段階ではその要旨を逸脱しない範囲で構成要素を変形して具体化できる。
【００４７】
例えば前記実施の形態では、複合機が有するメイン機能として、コピー機能，スキャン機能，ファクス機能及びプリント機能を示したが、メイン機能がこれに限定されるものではない。また同様に、複合機が有する補助機能も、テンプレート機能，ジョブ状況確認機能及びプライベート印刷機能に限定されるものではない。
【００４８】
また、最優先画面設定処理の手順は、図４の流れ図に示される手順に限定されるものではない。例えば、最初に補助機能リストを表示し、次にメイン機能リストを表示してもよい。また、補助機能とメイン機能のリストを一画面に表示してもよい。
【００４９】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００５０】
【図１】本発明の一実施の形態である複合機の外観図。
【図２】同複合機のコントロールパネルを示す平面図。
【図３】同複合機の要部構成を示すブロック図。
【図４】同複合機のＣＰＵが実行する最優先画面設定処理の一例を示す流れ図。
【図５】上記最優先画面設定処理で表示されるメイン機能リスト画面の一例を示す模式図。
【図６】上記最優先画面設定処理で表示される補助機能リスト画面の一例を示す模式図。
【図７】同複合機のＣＰＵが実行する画面表示処理の一例を示す流れ図。
【図８】テンプレート機能の初期画面の一例を示す模式図。
【図９】テンプレート機能のグループ選択画面の一例を示す模式図。
【図１０】ジョブ監視機能の初期画面の一例を示す模式図。
【図１１】プライベート印刷機能の初期画面の一例を示す模式図。
【符号の説明】
【００５１】
１…本体、４…原稿台、６…コントロールパネル、７…タッチパネル付ディスプレイ、８…操作パネル、１０…ＣＰＵ、１４…ハードディスクドライブ、２１…スキャナ、２２…プリンタ、３０…最優先メモリ。
【図１】
2007267254.tif 000003
【図２】
2007267254.tif 000004
【図３】
2007267254.tif 000005
【図４】
2007267254.tif 000006
【図５】
2007267254.tif 000007
【図６】
2007267254.tif 000008
【図７】
2007267254.tif 000009
【図８】
2007267254.tif 000010
【図９】
2007267254.tif 000011
【図１０】
2007267254.tif 000012
【図１１】
2007267254.tif 000013